(57)【要約】【課題】過去に実行された画像データの送信処理について前記画像データのファイル形式又は解像度を変更して再実行させる際のユーザーの手間を軽減することが可能な画像形成装置を提供すること。【解決手段】画像形成装置１０は、送信処理部７１と、記憶処理部７２と、選択処理部７３と、変更処理部７４と、再送信処理部７５とを備える。変更処理部７４は、再送信対象として選択された履歴情報に含まれる画像データのファイル形式又は解像度の少なくとも一方をユーザー操作に応じて変更し、再送信処理部７５は、前記再送信対象として選択された前記履歴情報に含まれる宛先に変更処理部７４による変更後の前記画像データを再送信可能である。【選択図】図２
2017046030.tif 000002
【特許請求の範囲】
【請求項１】
予め設定される宛先に通信網を介して画像データを送信する送信処理部と、
前記送信処理部による送信履歴として少なくとも前記画像データ及び前記宛先を含む履歴情報を記憶部に記憶させる記憶処理部と、
前記記憶部に記憶されている前記履歴情報のいずれかをユーザー操作に応じて再送信対象として選択する選択処理部と、
前記再送信対象として選択された前記履歴情報に含まれる前記画像データのファイル形式又は解像度の少なくとも一方をユーザー操作に応じて変更する変更処理部と、
前記再送信対象として選択された前記履歴情報に含まれる前記宛先に前記変更処理部による変更後の前記画像データを再送信可能な再送信処理部と、
を備える画像形成装置。
【請求項２】
前記変更処理部は、前記画像データのファイル形式を予め設定された一又は複数のファイル形式からユーザー操作によって選択されたファイル形式に変更する請求項１に記載の画像形成装置。
【請求項３】
前記変更処理部は、前記画像データの解像度を予め設定された一又は複数の解像度からユーザー操作によって選択された解像度に変更する請求項１又は２に記載の画像形成装置。
【請求項４】
前記再送信処理部は、前記再送信対象として選択された前記履歴情報に含まれる前記宛先を表示した後、前記再送信の実行要求操作に応じて前記再送信を実行する請求項１〜３のいずれかに記載の画像形成装置。
【請求項５】
前記履歴情報に前記画像データの送信時期が含まれており、
前記再送信処理部は、現在が前記再送信対象として選択された前記履歴情報に含まれる前記送信時期から予め設定された特定期間内である場合に、前記再送信対象として選択された前記履歴情報に含まれる前記宛先を再送信先として前記再送信を実行可能である請求項４に記載の画像形成装置。
【発明の詳細な説明】
【技術分野】
【０００１】
本発明は、通信網を介して画像データを送信可能な画像形成装置に関する。
【背景技術】
【０００２】
一般に、通信網を介して画像データを送信するファクシミリ送信などの送信処理の実行結果が通信管理レポートとして記憶される画像形成装置が知られている（例えば、特許文献１参照）。また、この種の画像形成装置では、送信処理の対象であった画像データが宛先の情報と共に履歴情報として記憶されており、その履歴情報を検索して画像データを表示させることが可能な場合もある。なお、この種の画像形成装置として、例えば送信処理が正常に実行されなかった場合に、その送信処理を再実行することが可能な構成も知られている。
【先行技術文献】
【特許文献】
【０００３】
【特許文献１】特開２００９−１２４３１５号公報
【発明の概要】
【発明が解決しようとする課題】
【０００４】
ところで、送信処理が正常に実行されなかった原因が、送信処理の対象となっていた画像データのファイル形式又はデータサイズにあることが考えられる。この場合、ユーザーは、送信処理の対象となっていた画像データのファイル形式又は解像度などの変更作業と、送信種別（ファクシミリ送信、メール送信など）の設定、宛先の設定、送信対象の画像データの設定などの各種設定作業とを実行する必要がある。
【０００５】
本発明の目的は、過去に実行された画像データの送信処理について前記画像データのファイル形式又は解像度を変更して前記送信処理を再実行させる際のユーザーの手間を軽減することが可能な画像形成装置を提供することにある。
【課題を解決するための手段】
【０００６】
本発明の一の局面に係る画像形成装置は、送信処理部と、記憶処理部と、選択処理部と、変更処理部と、再送信処理部とを備える。前記送信処理部は、予め設定される宛先に通信網を介して画像データを送信する。前記記憶処理部は、前記送信処理部による送信履歴として少なくとも前記画像データ及び前記宛先を含む履歴情報を記憶部に記憶させる。前記選択処理部は、前記記憶部に記憶されている前記履歴情報のいずれかをユーザー操作に応じて再送信対象として選択する。前記変更処理部は、前記再送信対象として選択された前記履歴情報に含まれる前記画像データのファイル形式又は解像度の少なくとも一方をユーザー操作に応じて変更する。前記再送信処理部は、前記再送信対象として選択された前記履歴情報に含まれる前記宛先に前記変更処理部による変更後の前記画像データを再送信可能である。
【発明の効果】
【０００７】
本発明によれば、過去に実行された画像データの送信処理について前記画像データのファイル形式又は解像度を変更して前記送信処理を再実行させる際のユーザーの手間を軽減することが可能な画像形成装置が提供される。
【図面の簡単な説明】
【０００８】
【図１】図１は、本発明の実施形態に係る画像形成装置の外観構成を示す図である。
【図２】図２は、本発明の実施形態に係る画像形成装置のシステム構成を示すブロック図である。
【図３】図３は、本発明の実施形態に係る画像形成装置で実行される再送信制御処理の手順の一例を示すフローチャートである。
【図４】図４は、本発明の実施形態に係る画像形成装置で表示される表示画面の一例を示す図である。
【図５】図５は、本発明の実施形態に係る画像形成装置で表示される表示画面の一例を示す図である。
【図６】図６は、本発明の実施形態に係る画像形成装置で表示される表示画面の一例を示す図である。
【図７】図７は、本発明の実施形態に係る画像形成装置で表示される表示画面の一例を示す図である。
【図８】図８は、本発明の実施形態に係る画像形成装置で表示される表示画面の一例を示す図である。
【図９】図９は、本発明の実施形態に係る画像形成装置で表示される表示画面の一例を示す図である。
【図１０】図１０は、本発明の実施形態に係る画像形成装置で表示される表示画面の一例を示す図である。
【発明を実施するための形態】
【０００９】
以下、添付図面を参照しながら、本発明の実施形態について説明し、本発明の理解に供する。なお、以下の実施形態は、本発明を具体化した一例であって、本発明の技術的範囲を限定するものではない。
【００１０】
図１及び図２に示されるように、本発明の実施形態に係る画像形成装置１０は、操作表示部１、ＡＤＦ２、画像読取部３、画像形成部４、通信Ｉ／Ｆ５、記憶部６、及び制御部７などを備える。具体的に、画像形成装置１０は、プリンター機能、スキャナー機能、コピー機能、及びファクシミリ機能などを有する複合機である。なお、本発明の実施形態に係る画像形成装置１０は、複合機に限らず、通信網を介して画像データを送信するファクシミリ送信処理又はメール送信処理などの送信処理を実行可能な画像形成装置であればよい。
【００１１】
操作表示部１は、情報を表示する液晶ディスプレーなどの表示部と、ユーザー操作を受け付けるタッチパネル及び操作ボタンなどの操作部とを備える。ＡＤＦ２は、原稿セット部、搬送ローラー、原稿押さえ、及び排紙部を備え、画像読取部３の読み取り対象となる原稿を搬送する自動原稿搬送装置である。画像読取部３は、原稿台、光源、ミラー、光学レンズ、及びＣＣＤ（Ｃｈａｒｇｅ  Ｃｏｕｐｌｅｄ  Ｄｅｖｉｃｅ）を備え、原稿から画像を読み取って画像データとして出力することが可能である。
【００１２】
画像形成部４は、電子写真方式又はインクジェット方式で画像データに基づく印刷処理を実行することが可能である。例えば、画像形成部４が電子写真方式の画像形成部である場合、画像形成部４は感光体ドラム、帯電器、露光装置、現像装置、転写装置、及び定着装置などを備える。
【００１３】
通信Ｉ／Ｆ５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１４】
記憶部６は、ハードディスク又はＥＥＰＲＯＭ（登録商標）などの不揮発性の記憶部である。記憶部６には、制御部７によって実行される各種の制御プログラム、及び画像形成装置１０で実行される各種のジョブに関する履歴情報などが記憶される。前記ジョブは、例えばコピー処理、プリント処理、スキャン処理、ファクシミリ送信処理、ファクシミリ受信処理、及びメール送信処理などである。
【００１５】
制御部７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１６】
そして、制御部７では、前記ＲＯＭ又は記憶部６に記憶されている前記制御プログラムが前記ＣＰＵを用いて実行される。例えば、制御部７は、前記制御プログラムに従って、通信Ｉ／Ｆ５を制御することにより、電話回線を通じて画像データを送信するファクシミリ送信処理、及びインターネットを通じて画像データを送信するメール送信処理などの送信処理を実行する。
【００１７】
また、制御部７は、前記ファクシミリ送信処理の実行時に、前記ファクシミリ送信処理に関する前記履歴情報として、ジョブの種別（ファクシミリ送信）、送信時期、送信ユーザー、通信結果、宛先（ＦＡＸ番号）、解像度、ファイル形式、ファイル名などを記憶部６に記憶させる。同じく、制御部７は、前記メール送信処理の実行時に、前記メール送信処理に関する前記履歴情報として、ジョブの種別（メール送信）、送信時期、送信ユーザー、通信結果、宛先（メールアドレス）、解像度、ファイル形式、ファイル名などを記憶部６に記憶させる。
【００１８】
ところで、画像形成装置１０では、前記ファクシミリ送信処理又は前記メール送信処理などの送信処理が正常に実行されないことがある。ここで、前記送信処理が正常に実行されなかった原因が、前記送信処理の対象となっていた画像データのファイル形式又はデータサイズにあることが考えられる。この場合、ユーザーは、前記送信処理の対象となっていた画像データのファイル形式又は解像度などの変更作業と、送信種別（ファクシミリ送信、メール送信など）の設定、宛先の設定、送信対象の画像データの設定などの各種設定作業とを実行する必要がある。なお、画像データの解像度が低いほど、画像データのデータサイズは小さくなる。また、画像データのデータサイズは、画像データのファイル形式によっても変化する。
【００１９】
これに対し、画像形成装置１０では、制御部７によって後述の再送信制御処理が実行されることにより、過去に実行された画像データの送信処理について前記画像データのファイル形式又は解像度を変更して再実行させる際のユーザーの手間を軽減することが可能である。
【００２０】
具体的に、制御部７は、送信処理部７１、記憶処理部７２、選択処理部７３、変更処理部７４、及び再送信処理部７５を含む。なお、制御部７は、前記通信制御プログラムに従って各種の処理を実行することにより各処理部として機能する。また、制御部７は、各処理部の一部又は複数の処理機能を実現する電子回路を備えるものであってもよい。
【００２１】
送信処理部７１は、予め設定される宛先に通信網を介して画像データを送信する前記ファクシミリ送信処理又は前記メール送信処理などの送信処理を実行する。なお、送信処理部７１により前記送信処理が実行される際には、操作表示部１を用いたユーザー操作によって、送信処理の種別、送信時期、送信ユーザー、通信結果、宛先、解像度、ファイル形式、ファイル名などの情報が前記送信処理の内容として設定される。
【００２２】
記憶処理部７２は、送信処理部７１による送信履歴として少なくとも前記画像データ及び前記宛先を含む履歴情報を記憶部６に記憶させる。選択処理部７３は、記憶部６に記憶されている前記履歴情報のいずれかをユーザー操作に応じて再送信対象として選択する。
【００２３】
変更処理部７４は、選択処理部７３によって前記再送信対象として選択された前記履歴情報に含まれる前記画像データのファイル形式又は解像度の少なくとも一方をユーザー操作に応じて変更することが可能である。なお、変更処理部７４は、予め画像形成装置１０にインストールされる周知の画像編集ソフト又はファイル変換ソフトなどを用いて前記画像データのファイル形式又は解像度などを変更することが可能である。前記ファイル形式は、例えばＰＤＦ、ＪＰＥＧ、ＧＩＦなどの画像フォーマットの種別である。
【００２４】
再送信処理部７５は、選択処理部７３によって前記再送信対象として選択された前記履歴情報に含まれる前記宛先に変更処理部７４による変更後の前記画像データを再送信することが可能である。なお、再送信処理部７５は、選択処理部７３によって前記再送信対象として選択された前記履歴情報に含まれる画像データをそのまま再送信することも可能である。
【００２５】
以下、図３を参照しつつ、画像形成装置１０において、制御部７によって実行される再送信制御処理の手順の一例について説明する。ここで、ステップＳ１、Ｓ２・・・は、制御部７により実行される処理手順（ステップ）の番号を表している。また、図４〜図１０は、前記再送信制御処理によって画像形成装置１０で表示される表示画面の一例を示す図である。
【００２６】
＜ステップＳ１＞
まず、ステップＳ１において、制御部７は、記憶部６に記憶されている前記履歴情報を表示させるための履歴表示要求の操作が行われたか否かを判断する。例えば、制御部７は、操作表示部１の表示画面に表示される履歴表示キーが操作された場合に、前記履歴表示要求の操作が行われたと判断する。ここで、前記履歴表示要求の操作が行われたと判断すると（Ｓ１：Ｙｅｓ）、処理がステップＳ２に移行する。一方、前記履歴表示要求の操作が行われるまでの間は（Ｓ１：Ｎｏ）、ステップＳ１の処理が繰り返し実行される。
【００２７】
＜ステップＳ２＞
ステップＳ２において、制御部７は、記憶部６に記憶されている前記履歴情報が表示される履歴情報画面Ｄ１を操作表示部１に表示させる。ここに、図４は、操作表示部１における履歴情報画面Ｄ１の一例を示す図である。履歴情報画面Ｄ１には、前記履歴情報各々における送信処理の種別（送信種別）、送信日時（送信時期）、ユーザー（送信ユーザー）、及び結果（通信結果）などの情報がリスト表示されている。また、履歴情報画面Ｄ１には、例えば操作キーＫ１１〜Ｋ１３などの操作キーが、ユーザー操作を受け付ける操作部として表示されている。
【００２８】
操作キーＫ１１は、前記履歴情報各々に対応して表示されるチェックボックスであり、前記履歴情報各々の選択操作を受け付けるための操作部である。制御部７は、操作キーＫ１１が操作された場合に、その操作された操作キーＫ１１に対応する前記履歴情報を処理対象として選択する選択処理を実行する。ここに、係る選択処理は、制御部７の選択処理部７３によって実行される。
【００２９】
操作キーＫ１２は、操作キーＫ１１によって選択されている前記履歴情報のプレビュー画面の表示操作を受け付ける操作部である。制御部７は、操作キーＫ１２が操作された場合に、前記履歴情報に対応する前記送信処理で送信対象であった前記画像データに基づく画像などを操作表示部１に表示させる。これにより、ユーザーは、前記履歴情報に対応する前記送信処理における送信内容を確認することが可能である。
【００３０】
操作キーＫ１３は、操作キーＫ１１によって選択されている前記履歴情報に対応する前記送信処理を再実行する再送信処理の設定開始操作を受け付ける操作部である。制御部７は、後述のステップＳ３において操作キーＫ１３が操作された場合に、後述のステップＳ４以降では、操作キーＫ１１で選択されている前記履歴情報の再送信処理を実行する。即ち、操作キーＫ１３が操作された場合、制御部７は、操作キーＫ１１のユーザー操作に応じて前記履歴情報を再送信対象として選択していることになる。
【００３１】
＜ステップＳ３＞
ステップＳ３において、制御部７は、前記履歴情報に対応する前記送信処理を再実行する再送信処理の設定開始操作が行われたか否かを判断する。具体的に、制御部７は、操作キーＫ１３が操作された場合に、前記再送信処理の設定開始操作が行われたと判断する。ここで、前記設定開始操作が行われたと判断すると（Ｓ３：Ｙｅｓ）、処理がステップＳ４に移行する。一方、前記設定開始操作が行われるまでの間は（Ｓ３：Ｎｏ）、ステップＳ３が繰り返し実行されると共に、履歴情報画面Ｄ１における操作に応じた処理が実行される。
【００３２】
＜ステップＳ４＞
ステップＳ４において、制御部７は、前記再送信処理に関する設定に用いられる再送信設定画面Ｄ２を操作表示部１に表示させる。ここに、図５は、前記再送信設定画面Ｄ２の一例を示す図である。図５に示されるように、再送信設定画面Ｄ２では、履歴情報画面Ｄ１で選択されている前記履歴情報の内容として、前記送信処理の種別、宛先、解像度、ファイル形式、ファイル名などの情報が表示されている。また、再送信設定画面Ｄ２には、例えば操作キーＫ２１〜Ｋ２５などの操作キーが、ユーザー操作を受け付ける操作部として表示されている。
【００３３】
操作キーＫ２１は、前記履歴情報における前記送信処理の宛先の内容の変更開始操作を受け付ける操作部である。具体的に、制御部７は、前記履歴情報における前記送信処理の宛先を再送信設定画面Ｄ２における宛先として自動的に入力する。そして、制御部７は、操作キーＫ２１のユーザー操作に応じて、前記送信処理の宛先を変更するための宛先変更処理を実行する。例えば、前記宛先変更処理は、予め記憶部６に記憶されているアドレス帳から宛先を選択するための操作、又は操作表示部１に表示されるソフトウェアキーボードなどを用いて宛先を入力するための操作に応じて前記宛先を変更する。
【００３４】
操作キーＫ２２は、前記履歴情報における前記送信処理の送信対象であった画像データの解像度の変更開始操作を受け付ける操作部である。具体的に、制御部７は、前記履歴情報における前記画像データの解像度を再送信設定画面Ｄ２における解像度として自動的に入力する。そして、制御部７は、操作キーＫ２２のユーザー操作に応じて、前記画像データの解像度を変更するための解像度変更処理を実行する。ここに、係る解像度変更処理は、制御部７の変更処理部７４によって実行される。
【００３５】
例えば、制御部７は、操作キーＫ２２の操作に応じて、図６に示されている解像度設定画面Ｄ３を操作表示部１に表示させる。解像度設定画面Ｄ３には、前記画像データの解像度として予め設定された一又は複数の解像度の候補に対応する操作キーＫ３１が表示されている。なお、解像度設定画面Ｄ３では、前記履歴情報における前記画像データの解像度よりも低い解像度のみが選択候補として表示されてもよい。そして、制御部７は、操作キーＫ３１が選択されて更新操作が行われた場合に、画像データの解像度をユーザー操作によって選択された操作キーＫ３１に対応する解像度に変更する画像処理を実行する。このとき、前記履歴情報における前記画像データの解像度よりも低い解像度が選択されると、前記画像データの解像度が低くなるため、前記画像データのデータサイズが小さくなる。
【００３６】
操作キーＫ２３は、前記履歴情報における前記送信処理の送信対象であった画像データのファイル形式の変更開始操作を受け付ける操作部である。具体的に、制御部７は、前記履歴情報における前記画像データのファイル形式を再送信設定画面Ｄ２におけるファイル形式として自動的に入力する。そして、制御部７は、操作キーＫ２３のユーザー操作に応じて、前記画像データのファイル形式を変更するためのファイル形式変更処理を実行する。ここに、係るファイル形式変更処理は、制御部７の変更処理部７４によって実行される。
【００３７】
例えば、制御部７は、操作キーＫ２３の操作に応じて、図７に示されているファイル形式設定画面Ｄ４を操作表示部１に表示させる。ファイル形式設定画面Ｄ４には、前記画像データのファイル形式として予め設定された一又は複数のファイル形式の候補に対応する操作キーＫ４１が表示されている。なお、ファイル形式設定画面Ｄ４では、前記履歴情報における前記画像データのファイル形式とは異なるファイル形式のみが選択候補として表示されてもよい。そして、制御部７は、操作キーＫ４１が選択されて更新操作が行われた場合に、画像データのファイル形式をユーザー操作によって選択された操作キーＫ４１に対応するファイル形式に変更する画像処理を実行する。
【００３８】
なお、本実施形態では、制御部７の変更処理部７４が、前記履歴情報に含まれる前記画像データのファイル形式及び解像度を共に変更することが可能な構成について説明する。一方、変更処理部７４が、前記履歴情報に含まれる前記画像データのファイル形式及び解像度のいずれか一方のみを変更可能な構成も他の実施形態として考えられる。
【００３９】
操作キーＫ２４は、前記履歴情報に対応する前記送信処理の送信対象であった画像データのファイル名の変更開始操作を受け付ける操作部である。制御部７は、操作キーＫ２４が操作された場合に、前記画像データのファイル名を変更するためのファイル名変更処理を実行する。具体的に、制御部７は、前記ファイル名変更処理において、前記画像データのファイル名を変更するための操作を受け付けて、当該再送信制御処理における送信対象となる画像データのファイル名を変更する。また、前記ファイル名変更処理では、例えば当該再送信制御処理における送信対象となる前記画像データを、記憶部６などに記憶されている他の画像データから選択可能であることも考えられる。
【００４０】
操作キーＫ２５は、前記履歴情報に対応する前記送信処理の再送信の設定についての確認操作を受け付ける操作部である。制御部７は、操作キーＫ２５の操作に応じて、図８に示されている再送信画面Ｄ５を操作表示部１に表示させる。再送信画面Ｄ５には、前記履歴情報に対応する前記送信処理の再送信について現在設定されている宛先が表示されている。また、再送信画面Ｄ５には、前記履歴情報に対応する前記送信処理の再実行操作を受け付ける操作キーＫ５１が表示されている。
【００４１】
＜ステップＳ５＞
そして、ステップＳ５において、制御部７は、前記履歴情報に対応する前記送信処理を再実行する再送信の実行要求操作が行われたか否かを判断する。具体的に、制御部７は、再送信画面Ｄ５において操作キーＫ５１が操作された場合に、前記実行要求操作が行われたと判断する。ここで、前記実行要求操作が行われたと判断すると（Ｓ５：Ｙｅｓ）、処理がステップＳ６に移行する。一方、前記実行要求操作が行われるまでの間は（Ｓ５：Ｎｏ）、ステップＳ５の処理が繰り返し実行されると共に、再送信設定画面Ｄ２における操作に応じた処理が実行される。
【００４２】
＜ステップＳ６＞
ステップＳ６において、制御部７は、再送信設定画面Ｄ２における設定内容に基づいて、前記履歴情報に対応する前記送信処理を再実行する再送信処理を実行する。即ち、前記再送信処理では、前記履歴情報に対応する前記送信処理について、再送信設定画面Ｄ２で宛先、解像度、ファイル形式、ファイル名などの変更操作が行われた場合には、その変更操作に応じた変更後の設定内容に基づいて前記画像データの再送信が実行される。なお、当該再送信処理は制御部７の再送信処理部７５によって実行される。
【００４３】
以上説明したように、画像形成装置１０では、前記履歴情報に含まれる送信処理の種別、宛先、ファイル名などの情報を利用することが可能であると共に、前記履歴情報に含まれる画像データのファイル形式又は解像度については任意に変更することが可能である。従って、画像形成装置１０によれば、過去に実行された画像データの送信処理について、前記画像データのファイル形式及び解像度のいずれか一方又は両方を変更して再実行させる際のユーザーの手間を軽減することが可能である。
【００４４】
ところで、画像形成装置１０では、前記再送信制御処理によって表示される再送信設定画面Ｄ２の宛先の情報として、前記履歴情報に含まれる宛先を利用するか否かの設定が任意に変更可能であることが考えられる。具体的に、制御部７は、画像形成装置１０の初期設定として、再送信設定画面Ｄ２で設定される前記再送信処理の宛先を前記履歴情報に基づいて自動的に入力するか否かをユーザー操作に応じて変更することが可能である。
【００４５】
例えば、図９は、前記再送信処理の宛先の自動入力の有無の設定に用いられる自動入力設定画面Ｄ６の一例が示されている。図９に示されるように、自動入力設定画面Ｄ６には、前記送信処理の再送信時における宛先の自動入力の有無を選択するための操作キーＫ６１、Ｋ６２が表示されている。制御部７は、自動入力設定画面Ｄ６における操作キーＫ６１、Ｋ６２の選択に応じて、前記送信処理の再送信時における宛先の自動入力機能の有効及び無効を選択して設定する。
【００４６】
さらに、自動入力設定画面Ｄ６において前記自動入力機能が有効となる操作キーＫ６１が選択される場合に、前記自動入力機能を有効とする期間を予め設定可能な構成が考えられる。具体的に、制御部７は、自動入力設定画面Ｄ６において操作キーＫ６１が操作された場合に、例えば図１０に示されるように、前記自動入力機能を有効とする特定期間の設定に用いられる期間設定画面Ｄ７を操作表示部１に表示させる。図１０に示される期間設定画面Ｄ７では、前記特定期間の設定を受け付ける操作キーＫ７１〜Ｋ７３が表示されている。
【００４７】
操作キーＫ７１は、前記特定期間として常時を選択する際に操作される操作部である。操作キーＫ７２は、予め定められた特定日数を前記特定期間として選択する際に操作される操作部である。なお、操作キーＫ７２の近傍には、前記特定日数の入力操作を受け付ける入力欄Ｋ７４が表示されている。操作キーＫ７３は、予め定められた特定時刻までの時間を前記特定期間として選択する際に操作される操作部である。なお、操作キーＫ７３の近傍には、前記特定時刻の入力操作を受け付ける入力欄Ｋ７５が表示されている。制御部７は、期間設定画面Ｄ７における操作キーＫ７１〜Ｋ７５の操作に応じて、前記特定期間を設定する。
【００４８】
そして、制御部７は、前記自動入力機能が有効に設定されている場合、前記再送信制御処理（図３）のステップＳ４において再送信設定画面Ｄ２を表示する際、現在が前記特定期間内であるか否かに応じて、再送信設定画面Ｄ２における宛先の自動入力の有無を切り替える。
【００４９】
具体的に、現在が前記特定期間内でない場合、制御部７は、前記再送信対象として選択された前記履歴情報に含まれる宛先が設定内容として入力されていない状態で再送信設定画面Ｄ２を表示させる。この場合、ユーザーは、再送信設定画面Ｄ２において宛先の設定操作を行った後、その宛先に前記画像データを再送信する再送信処理を画像形成装置１０に実行させることになる。これにより、前記特定期間外では、前記履歴情報における宛先の情報が前記再送信処理に反映されないため、
【００５０】
一方、現在が前記特定期間内である場合、制御部７は、前記再送信対象として操作キーＫ１１で選択された前記履歴情報に含まれる宛先を再送信先として前記再送信を実行可能である。例えば、制御部７は、現在が前記特定期間内である場合は、前記再送信対象として操作キーＫ１１で選択された前記履歴情報に含まれる宛先が設定内容として入力された状態で再送信設定画面Ｄ２を表示させる。これにより、ユーザーは、再送信設定画面Ｄ２において宛先の設定操作を行うことなく、前記履歴情報に対応する前記送信処理を画像形成装置１０に再実行させることが可能となる。
【符号の説明】
【００５１】
１    操作表示部
２    ＡＤＦ
３    画像読取部
４    画像形成部
５    通信Ｉ／Ｆ
６    記憶部
７    制御部
７１  送信処理部
７２  記憶処理部
７３  選択処理部
７４  変更処理部
７５  再送信処理部
１０  画像形成装置
【図１】
2017046030.tif 000003
【図２】
2017046030.tif 000004
【図３】
2017046030.tif 000005
【図４】
2017046030.tif 000006
【図５】
2017046030.tif 000007
【図６】
2017046030.tif 000008
【図７】
2017046030.tif 000009
【図８】
2017046030.tif 000010
【図９】
2017046030.tif 000011
【図１０】
2017046030.tif 000012